(57)【要約】【課題】電波を受信して種々情報を取得するのに必須な要素を全て具備し、外部環境に依存することなく電波の受信及び情報確認を行うことができる電波受信ユニットを提供すること。【解決手段】薄板状の嵌合本体２０、並びに嵌合本体２０に取り付けられた受信機３０、バッテリー４０、アンテナ５０、電源パネル６０及びランプ７０を具備し、受信機３０と電源パネル６０とはそれぞれ反対の方向を向くように取り付けられており、嵌合本体２０の少なくとも１つの縁部には、窓構造体１０の内部空間及び電波受信ユニットの連接部分を封止するシーリング構造１１０を有する電波受信ユニット。【選択図】図１
0003182253.tif 000002
【実用新案登録請求の範囲】
【請求項１】
単層型又は複層構造型の窓構造体の全体または一部分に嵌め込んで用いる電波受信ユニットであって、
薄板状の嵌合本体、並びに
嵌合本体に取り付けられた
受信機、
バッテリー、
アンテナ、
電源パネル及びランプ
を具備し、
上記受信機と上記電源パネルとはそれぞれ反対の方向を向くように取り付けられており、
上記嵌合本体の少なくとも１つの縁部には、上記窓構造体の内部空間及び
電波受信ユニットの連接部分を封止するシーリング構造を有する電波受信ユニット。
【請求項２】
上記受信機及び上記バッテリーがさらにユニット化されており、嵌合本体に着脱自在となされている請求項１に記載の電波受信ユニット。
【請求項３】
上記電波受信ユニットがさらにアンテナの出力端子を具備する請求項１または２に記載の電波受信ユニット。
【請求項４】
上記シーリング構造が、嵌合本体に固定された、幅方向中央部分に長手方向に沿って形成された連結部を有する長尺なシール構造体からなる請求項１〜３のいずれかに記載の電波受信ユニット。
【請求項５】
上記嵌合本体が、フィルムで飛散防止加工を施されている請求項１〜４のいずれかに記載の電波受信ユニット。
【考案の詳細な説明】
【技術分野】
【０００１】
本考案は、他の装置を要することなく電波を受信し受信した電波により入手した情報を確認することができる電波受信ユニットに関するものである。
【背景技術】
【０００２】
アンテナ、テレビ受信機、各種配線及び電源からなるテレビ放送受信設備は、いまや人々が快適に暮らしていく上でなくてはなくてはならない設備となっている。
ここで、放送受信設備のうち既存のアンテナは、室外に設置されるため、台風や大雨の影響で破損し使用できなくなるなどの問題があり、さまざまな改良がおこなわれている。
例えば、特許文献１には、デジタルテレビ放送受信のためのアンテナの劣化を防止するとともに、窓の開閉によっても受信性能が低下しないアンテナとして、２枚のガラス板間に、アンテナパタンと第１の電極とを有するフィルムを封入した中間膜が介在された合わせガラスを用い、第１の電極に第２の電極を容量結合することで、アンテナパタンで受信したテレビ放送信号を室内に取り出す合わせガラス式のアンテナ装置が提案されていた。
また、特許文献２には、窓枠とこの窓枠にはめ込まれる窓板とから成る窓において、前記窓板の全部又は一部に、ディスプレイが備えられ、前記ディスプレイは、透明の又はほぼ透明の薄膜トランジスタとこのトランジスタにより制御される液晶とを含む液晶ディスプレイと、このディスプレイの室外側にこのディスプレイに対応して設けられた、透明板と透明電極とこの透明電極により制御される液晶とを含み、液晶の制御により透明状態から不透明又は半透明状態に切り換えられる調光板とを備えるディスプレイ装置が提案されている。
【先行技術文献】
【特許文献】
【０００３】
【特許文献１】特開２００６−１９３３３８号公報
【特許文献２】特開平１０−２５９７５号公報
【考案の概要】
【考案が解決しようとする課題】
【０００４】
しかしながら、上述の提案にかかる各装置は、電源、制御装置などテレビ放送の視聴に必須な要素の全てを具備しておらず、不足しているものについては外付け又は外部接続が必要であるという問題があった。
このため、災害時等において、停電した場合やケーブルテレビを引いておりケーブルが破損してケーブルを介しての受信が困難となった場合等外部環境の悪化した際にはテレビを見ることができなくなるという問題もあった。
要するに、テレビ放送等の電波の受信及び情報確認に必須な要素を全て具備し、必要な情報確認を外部環境に依存しない電波受信ユニットの開発が要望されているのが現状である。
したがって、本考案の目的は、電波を受信して種々情報を取得するのに必須な要素を全て具備し、外部環境に依存することなく電波の受信及び情報確認を行うことができる電波受信ユニットを提供することを目的とする。
【課題を解決するための手段】
【０００５】
本考案者らは、上記課題を解消すべく鋭意検討した結果、窓にアンテナ、受信装置及び電源を設置することが効果的であると考え、さらに、最適な設置構造について検討した結果、本考案を完成するに至った。
すなわち、本考案は以下の各考案を提供するものである。
１．単層又は複層構造型の窓構造体の全体または一部分に嵌め込んで用いる電波受信ユニットであって、
薄板状の嵌合本体、並びに
嵌合本体に取り付けられた
受信機、
バッテリー、
アンテナ、
電源パネル及びランプ
を具備し、
上記受信機と上記電源パネルとはそれぞれ反対の方向を向くように取り付けられており、
上記嵌合本体の少なくとも１つの縁部には、上記窓構造体の内部空間及び
電波受信ユニットの連接部分を封止するシーリング構造を有する電波受信ユニット。
２．上記受信機及び上記バッテリーがさらにユニット化されており、嵌合本体に着脱自在となされている１に記載の電波受信ユニット。
３．上記電波受信ユニットがさらにアンテナの出力端子を具備する１または２に記載の電波受信ユニット。
４．上記シーリング構造が、嵌合本体に固定された、幅方向中央部分に長手方向に沿って形成された連結部を有する長尺なシール構造体からなる１〜３のいずれかに記載の電波受信ユニット。
５．上記嵌合本体が、フィルムで飛散防止加工を施されている１〜４のいずれかに記載の電波受信ユニット。
【考案の効果】
【０００６】
本考案の電波受信ユニットは、電波を受信して種々情報を取得するのに必須な要素を全て具備し、外部環境に依存することなく電波の受信及び情報確認を行うことができるものである。詳細には、風雨や雷に強く、汚れの心配がなく、窒素酸化物（ＮＯｘ）、硫黄酸化物（ＳＯｘ）などによる腐食の心配がない。また、特に配線工事を行わなくてもよく、安価に且つ簡易に設置できる。さらに、電源を含めた受信及び情報確認に必要な機能を全て有するので、災害時や停電時にも使用することができる。
【図面の簡単な説明】
【０００７】
【図１】図１は本考案の電波受信ユニットの一実施形態の全体を示す正面図である。
【図２】図２は本考案の電波受信ユニットの一実施形態の嵌合本体を示す分解斜視図である。
【図３】図３は本考案の電波受信ユニットの一実施形態のシーリング構造を示す分解斜視図である。
【図４】図４は本考案の電波受信ユニットの他の実施形態のユニット装着前の全体構造を示す正面図である。
【図５】図５はユニットの斜視図である。
【図６】図６は本考案の電波受信ユニットの他の実施形態のユニット装着後の全体構造を示す正面図である。
【考案を実施するための形態】
【０００８】
以下、本考案について実施例を示してさらに具体的に説明するが本考案はこれらに何ら制限されるものではない。
【０００９】
まず、本考案の電波受信ユニットの一実施形態を図１〜３を参照して説明する。
＜全体構成＞
本考案の電波受信ユニット１は、複層構造型の窓構造体１０に嵌め込んで用いるものであって、薄板状の嵌合本体２０、並びに嵌合本体２０に取り付けられた受信機３０、バッテリー４０、アンテナ５０、電源パネル６０及びランプ７０を具備する。
【００１０】
＜窓構造体＞
本考案で用いられる窓構造体１０は複層構造型の窓構造体であり、いわゆる複層ガラスの周縁部分をはめ込む窓枠体である。
【００１１】
＜嵌合本体＞
本考案で用いられる嵌合本体２０は薄板状である。その厚みは特に制限されず、通常の窓構造に用いられる厚みであり、強度が確保されていればよい。
嵌合本体２０は、長方形状であり、２枚の窓ガラスと窓構造体１０とからなる窓サッシ全体のうち、一方の窓ガラスの一部を構成するようになされている。その１つの長辺の縁部には、窓構造体１０の内部空間及び電波受信ユニットの連接部分を封止するシーリング構造１１０を有している。嵌合本体２０の他の縁部は、窓構造体１０に嵌合され封止されており、嵌合本体２０の内部は密閉された状態になっている。嵌合本体２０の内部空間は、アルゴンガス、クリプトンガスなどの不活性ガスで満たされていることが、嵌合本体２０に取り付けられている受信機３０、バッテリー４０、アンテナ５０などの機器の劣化防止や、防音・結露防止・断熱性の観点から好ましい。
嵌合本体２０の大きさは特に制限されず、窓構造体１０の大きさなどにより適宜決定されるが、本実施形態においては、窓の約３分の１の大きさとなされている。
嵌合本体２０の形成材料としては、ガラス、金属、プラスチック樹脂、木材などを特に制限なく用いることができる。なお、本実施形態においてはガラスを用いている。
嵌合本体２０には、その一部に蓄光塗料を塗工することで夜間でもその存在や操作すべき部分を使用者に認識させることができる。また、嵌合本体２０の形成材料に抗菌物質などの機能性物質を含有させることもできる。
また、嵌合本体２０の表面には、紫外線を吸収、又はガラスの飛散を防止するためにフィルムを貼り付ける加工処理をしても良く、上記加工処理は嵌合本体の内側にするのが意匠性やフィルムの劣化を防止する観点から好ましい。
【００１２】
＜受信機＞
受信機３０は、本実施形態においてはいわゆるテレビ受信機であり、薄板状で、一面に画像表示部３１を有し、音声出力用のスピーカー（図示せず）を備えたものである。また、受信機３０は、画像表示部３１と電源パネル６０の受光部６１とがそれぞれ反対の方向を向くように嵌合本体２０に取り付けられている。受信機３０の取付手法は特に制限されないが、本実施形態においては嵌合本体２０に受信機３０の形状とほぼ同じ形状の開口を設け、かかる開口に挿着することで設けられている。受信機３０は、アンテナ５０及びバッテリー４０と配線（図示せず）を介して電気的に接続されている。
本考案で用いられる受信機３０の種類としては、デジタルテレビ放送、ワンセグメント放送、ＦＭラジオ、ＡＭラジオ放送などの放送電波を受信し視聴可能な装置であれば制限なく用いることができる。
【００１３】
＜バッテリー＞
バッテリー４０は嵌合本体２０にバッテリー４０の形状とほぼ同じ形状の開口を設け、かかる開口に挿着することで設けられている。そして、特に図示しないがバッテリーの表面パネルを開閉することで内部の充電用電池を適宜交換可能となしてある。また、開口とバッテリーとの設置点はすべてシーラント等を用いて封止されており、複層構造の窓サッシ内部の気密性が保たれるようになされている。
バッテリー４０は電源パネル６０及び受信機３０と配線（図示せず）を介して電気的に接続されており、これにより電源パネル６０により生産された電気を蓄積し、受信機３０に電力を供給することができる。
本考案で用いられるバッテリー４０は、リチウムイオン電池、リチウムポリマー電池、など通常の蓄電池を特に制限なく用いることができる。
本考案の電波受信ユニット１は、外部から電源を供給しバッテリー４０に蓄電する機構（公知の機構を特に制限なく用いることができる）を備えても良い。
【００１４】
＜アンテナ＞
アンテナ５０は、嵌合本体２０に固定してもよいが、本実施形態においては受信機３０に連結されおり、嵌合本体２０を窓構造体１０に取り付ける際に対向する窓ガラスに固定するように設けられている。これにより、アンテナを複層ガラスの内部に設置して台風などによる破損、気候による劣化、ＮＯｘやＳＯｘなどによる腐食を防ぐことができると共に、より外方に近い部位にアンテナを設置して受信効率を向上させることができる。
アンテナ５０は受信機３０に直接連結されているが、アンテナ５０と受信機３０との間にはアンテナからの信号を増幅する機器や回路などを設けてもよい。
本考案で用いられるアンテナ５０は、デジタルテレビ放送、ワンセグメント放送、ＡＭラジオ放送，ＦＭラジオ放送などの電波を受信するアンテナを用いることができ、１つまたは複数のアンテナを具備しても良い。
また、アンテナ５０は、後述する出力端子と接続され、電波受信ユニット１の外部に信号を供給する。
【００１５】
＜電源パネル＞
電源パネル６０は、受信機３０の画像表示部３１と電源パネル６０の受光部６１とがそれぞれ反対の方向を向くように、バッテリーと配線（図示せず）を介して連結されて嵌合本体２０に取付けられている。そして電源パネル６０は、電波受信ユニット１を設置する際に、嵌合本体２０に対向する窓ガラスに受光部が接触した状態で固定されるように通常窓ガラスに物を固定する際に用いられる固定具を介して固定される。
本考案で用いられる電源パネル６０は、通常の太陽電池パネルを特に制限なく用いることができる。
【００１６】
＜ランプ＞
ランプ７０は、本実施形態では小粒のランプを３つ嵌合本体２０における受信機３０の画像表示部３１が向いている面に向けて設置することにより設けられている。また、本実施形態では嵌合本体２０にバッテリー４０の欄で説明したのと同様に開口を設け、該開口に制御用のスイッチを設置して外部からランプの作動制御を行うことができるようになされている。
ランプ７０は、バッテリー４０と配線（図示せず）を介して電気的に接続されている。
本考案で用いられるランプ７０としては、通常の白熱電球や発光ダイオード（ＬＥＤ）などの通常の発光装置を挙げることができ、電力消費量の少なさからＬＥＤが好ましく挙げられる。
ランプ７０を設けることにより、夜間や停電時においても本考案の電波受信ユニットを使用することができ、使用性が向上すると共に、緊急時の電灯として使用することも可能である。
【００１７】
＜シーリング構造＞
シーリング構造１１０は嵌合本体２０の１長辺の端縁部に設けられたシール構造体１２０からなり、さらに窓構造体１０の内部端縁に設けられたシール構造体１３０を具備する。これらにより、窓構造体１０の内部空間及び電波受信ユニット１の連接部分を封止している。
シーリング構造１１０は、嵌合本体２０に固定された幅方向中央部分に長手方向に沿って形成された連結部１２１を有する長尺なシール構造体１２０と、シール構造体１２０の連結部１２１に連結される連結部１３１を有する長尺なシール構造体１３０とからなる。
シール構造体１２０の連結部１２１は断面凹状であり、シール構造体１３０の連結部１３１は断面凸状であり、シール構造体１２０の連結部１２１とシール構造体１３０の連結部１３１とは嵌合されるようになされている。両者を嵌合させることによりシール構造１１０が完成する。
このように構成されているためシール構造体１２０は、本実施形態の電波受信ユニット１側の複層構造内部の空間を封止しており、シール構造体１３０は窓構造体の内部空間を封止するとともに、嵌合本体２０と複層ガラス２００との隙間を完全に封止している。
シール構造体１２０及び１３０の形成材料は、通常この種のシール材料に用いられる樹脂やゴム、アルミなどの金属、木材を用いることができる。
この構成により、窓構造体の内部空間及び電波受信ユニットの連接部分を高い強度で確実に封止することができる。
【００１８】
＜出力端子＞
本考案の電波受信ユニット１は、２つの出力端子８０を有する。
出力端子８０は、アンテナ５０を分岐して構成されており、アンテナ５０が受信した信号を電波受信ユニット１の外部に出力できるように嵌合本体の一部に端子を設置して形成されている。
また、出力端子８０とアンテナ５０との間には、信号を増幅するための装置や回路を設けてもよい。
出力端子８０を設けることにより、屋外アンテナの故障時、災害時などケーブルテレビ放送のトラブル時に、出力端子８０から放送信号を出力させて家庭内の他の受信機で放送を受信することができる。
【００１９】
＜他の実施形態＞
次いで本考案の電波受信ユニットの他の実施形態を図４〜６を参照して説明する。
なお、以下の説明においては上述した図１〜３に示す実施形態と異なる部分を中心に説明する。特に説明しない点については上述の説明が適宜適用される。
電波受信ユニット１ａは、図４〜６に示す受信機３０及びバッテリー４０がさらにユニット化されてユニット１００とされている。ユニット１００は嵌合本体２０に設けられた断面凹状のユニット装着部９０に着脱自在に装着されるようになされている。また、ユニット１００は密閉された箱状のユニット本体１０１とユニット本体１０１内部に収納されたバッテリー４０及び受信機３０からなる。受信機３０はその表示部がユニット本体１０１の一面側を向くように設置されており、バッテリーと受信機とは配線（図示せず）を介して電気的に接続されている。また、本実施形態における受信機はこれ自体がアンテナを内蔵しており、受信機単体でも受信及び表示可能となっている。ユニット本体１０１の形成材料は金属や樹脂などを特に制限なく用いることができ、受信機を完全に覆うように構成する場合には透明な樹脂材料で形成するのが好ましい。ユニット１００を着脱自在に装着させるための装着機構は通常の機構を用いることができ、また、ユニット１００と電源パネル６０やライト７０などとの電気的な接続もこれらとユニット装着部９０とを配線（図示せず）により連結した上でユニット装着部９０及びユニット１００にそれぞれ雄型雌型の端子を設けるなど通常の手段を用いて形成することができる。
この構成により、受信機を外部に持ち運んで使用することが可能になると共に故障時やリニューアルを容易に行うことができる。
【００２０】
なお、本考案は上述した実施形態に何ら制限されるものではなく、本考案の趣旨を逸脱しない範囲で種々変形可能である。
上記の実施形態では複層構造のサッシを例示して説明したが、単層構造の窓サッシに取り付けて使用するタイプのユニットとして構成してもよい。特に単層タイプの窓サッシであって、窓ガラスが５ｍｍ以上の厚みを有する厚みの大きな窓ガラスを有するサッシに好適に適用される。
また受信機は、それ自体がさらにバッテリーを内蔵していてもよい。電源パネルから受信機に直接電源を供給することもできる。
LEDランプの数は３つに制限されず、１個、２個又は４個以上とすることもできる。
窓ガラスの部分全体が本考案のユニットとなされていてもよく、また、電源パネルを２つ以上設けてそのうちの一つを受信機の表示部と同じ方向を向くように設けてもよい。
シール構造は嵌合するように構成せず、単にテープ状又は棒状のシール部材を設置することにより構成してもよい。また、上述の実施形態では単一の部材でシール構造体１２０、１３０が構成されたものを例示して説明したが、各シール構造体を複合構造体により構成してもよい。たとえば、複層ガラス内部をシールする部分と、本考案の受信ユニットと窓構造体の窓ガラスとの当接部分をシールする部分とに分けて、前者をゴム材料で構成し、後者を金属や木材で構成することができる。
【符号の説明】
【００２１】
１：電波受信ユニット、１０：窓構造体、２０：嵌合本体、３０：受信機、４０：バッテリー、５０：アンテナ、６０：電源パネル、７０：ランプ、８０：出力端子、９０：ユニット装着部、１００：ユニット、１１０：シーリング構造、１２０：シール構造体、１３０：シール構造体、２００：ガラス
【図１】
0003182253.tif 000003
【図２】
0003182253.tif 000004
【図３】
0003182253.tif 000005
【図４】
0003182253.tif 000006
【図５】
0003182253.tif 000007
【図６】
0003182253.tif 000008